(57)【要約】  音響変換効率を高めて音質の向上を図る。  駆動信号に応じて伸縮する振動素子と、振動素子を挟んで反対側に位置され各端面がそれぞれ振動素子の伸縮方向における両端に接した状態で配置されると共に振動素子の伸縮によって振動される二つの振動体と、二つの振動体を付勢して各端面を両端にそれぞれ押し付ける付勢バネとを備えた。これにより、付勢バネによって付勢された二つの振動体の各端面がそれぞれ振動素子の伸縮方向における両端に接した状態で振動素子が伸縮されて振動体が振動されるため、音響変換効率が高まり音質の向上を図ることができる。
2016103930.tif 000002
【特許請求の範囲】
【請求項１】
駆動信号に応じて伸縮する振動素子と、
前記振動素子を挟んで反対側に位置され各端面がそれぞれ前記振動素子の伸縮方向における両端に接した状態で配置されると共に前記振動素子の伸縮によって振動される二つの振動体と、
前記二つの振動体を付勢して前記各端面を前記両端にそれぞれ押し付ける付勢バネとを備えた
スピーカー装置。
【請求項２】
前記振動体が筒状に形成され、
前記振動素子が前記振動体の周方向に離隔して複数配置された
請求項１に記載のスピーカー装置。
【請求項３】
前記付勢バネの一部が二股状に形成され前記振動体に付勢力を付与する一対の弾性変形部として設けられ、
前記一対の弾性変形部の間に前記振動素子が配置された
請求項１に記載のスピーカー装置。
【請求項４】
前記付勢バネとして板バネが用いられ、
前記付勢バネの厚み方向が前記伸縮方向に一致された
請求項１に記載のスピーカー装置。
【請求項５】
前記付勢バネが前記振動体の周方向に離隔して複数配置された
請求項２に記載のスピーカー装置。
【請求項６】
前記振動体の内側に、前記振動体の振動に基づいて出力される音響と異なる音響を出力するスピーカーユニットが配置された
請求項２に記載のスピーカー装置。
【請求項７】
前記振動体の内側に照明が配置された
請求項２に記載のスピーカー装置。
【請求項８】
前記振動体の半径方向に延び前記付勢バネが取り付けられる支持アームが設けられ、
前記支持アームの内部に、前記振動素子に接続される配線が配置された
請求項２に記載のスピーカー装置。
【発明の詳細な説明】
【技術分野】
【０００１】
本技術は駆動信号に応じて伸縮する振動素子によって振動体を振動させて音響を出力するスピーカー装置についての技術分野に関する。
【先行技術文献】
【特許文献】
【０００２】
【特許文献１】特許第４５２４７００号公報
【背景技術】
【０００３】
所定の周波数帯域の音響（音声）を出力するスピーカー装置がある。スピーカー装置には、例えば、圧電素子や磁歪素子等の振動素子の伸縮によって振動体（音響振動板）を振動させて音響の出力が行われるように構成されたものがある（例えば、特許文献１参照）。【０００４】
特許文献１に記載されたスピーカー装置においては、駆動部として機能する振動素子に駆動信号が入力されて振動素子が伸縮され、振動素子の伸縮によって振動体が振動されて音響が出力される。【０００５】
このような振動体を振動させる駆動部として振動素子が用いられたスピーカー装置においては、大きな駆動力を得ることが可能になり、良好な音響の出力状態を確保することが可能である。
【発明の概要】
【発明が解決しようとする課題】
【０００６】
ところで、スピーカー装置にあっては、駆動信号が駆動部に入力されたときの音響変換効率が低いと、音質の低下を来してしまう。特に、振動体を振動させる振動素子は、一般に、サウンドアースと称されるベース部分に取り付けられサウンドアースに対して伸縮されるが、振動素子の駆動力の一部がサウンドアースに伝達されて駆動力が低下し、音響変換効率が低くなるおそれがある。【０００７】
そこで、本技術スピーカー装置は、上記した問題点を克服し、音響変換効率を高めて音質の向上を図ることを目的とする。
【課題を解決するための手段】
【０００８】
第１に、本技術に係るスピーカー装置は、駆動信号に応じて伸縮する振動素子と、前記振動素子を挟んで反対側に位置され各端面がそれぞれ前記振動素子の伸縮方向における両端に接した状態で配置されると共に前記振動素子の伸縮によって振動される二つの振動体と、前記二つの振動体を付勢して前記各端面を前記両端にそれぞれ押し付ける付勢バネとを備えたものである。【０００９】
これにより、付勢バネによって付勢された二つの振動体の各端面がそれぞれ振動素子の伸縮方向における両端に接した状態で振動素子が伸縮されて振動体が振動される。【００１０】
第２に、上記したスピーカー装置においては、前記振動体が筒状に形成され、前記振動素子が前記振動体の周方向に離隔して複数配置されることが望ましい。【００１１】
これにより、振動体の振動が周方向に離隔して配置された複数の振動素子によって安定した状態で行われる。【００１２】
第３に、上記したスピーカー装置においては、前記付勢バネの一部が二股状に形成され前記振動体に付勢力を付与する一対の弾性変形部として設けられ、前記一対の弾性変形部の間に前記振動素子が配置されることが望ましい。【００１３】
これにより、振動素子の両側に弾性変形部が位置され、弾性変形部から均等な付勢力が振動体の端面に付与される。【００１４】
第４に、上記したスピーカー装置においては、前記付勢バネとして板バネが用いられ、前記付勢バネの厚み方向が前記伸縮方向に一致されることが望ましい。【００１５】
これにより、振動素子の伸縮方向における付勢バネの配置スペースが小さくなる。【００１６】
第５に、上記したスピーカー装置においては、前記付勢バネが前記振動体の周方向に離隔して複数配置されることが望ましい。【００１７】
これにより、周方向において付勢バネから均等な力が振動体の端面に付与される。【００１８】
第６に、上記したスピーカー装置においては、前記振動体の内側に、前記振動体の振動に基づいて出力される音響と異なる音響を出力するスピーカーユニットが配置されることが望ましい。【００１９】
これにより、スピーカー装置において複数の異なる音響が出力される。【００２０】
第７に、上記したスピーカー装置においては、前記振動体の内側に照明が配置されることが望ましい。【００２１】
これにより、スピーカー装置が音響の出力機能の他に照明機能をも有する。【００２２】
第８に、上記したスピーカー装置においては、前記振動体の半径方向に延び前記付勢バネが取り付けられる支持アームが設けられ、前記支持アームの内部に、前記振動素子に接続される配線が配置されることが望ましい。【００２３】
これにより、付勢バネの配置部として機能する支持アームに配線の配置部が形成されるる。
【発明の効果】
【００２４】
本技術によれば、付勢バネによって付勢された二つの振動体の各端面がそれぞれ振動素子の伸縮方向における両端に接した状態で振動素子が伸縮されて振動体が振動されるため、音響変換効率が高まり音質の向上を図ることができる。【００２５】
尚、本明細書に記載された効果はあくまでも例示であって限定されるものではなく、他の効果があってもよい。
【図面の簡単な説明】
【００２６】
【図１】図２乃至図６と共に本技術スピーカー装置の実施の形態を示すものであり、本図は、スピーカー装置の斜視図である。
【図２】一部を省略して示すスピーカー装置の断面図である。
【図３】一部を省略して図２とは別の状態で示すスピーカー装置の断面図である。
【図４】一部を省略して示すスピーカー装置の分解斜視図である。
【図５】支持アームに付勢バネが取り付けられた状態を示す拡大斜視図である。
【図６】付勢バネや振動素子等を示す拡大断面図である。
【発明を実施するための形態】
【００２７】
以下に、本技術スピーカー装置を実施するための形態を添付図面に従って説明する。
【００２８】
以下には、例として、据置型のスピーカー装置について説明する。但し、本技術スピーカー装置の適用範囲は据置型のスピーカー装置に限られることはなく、例えば、天井等から吊り下げられる吊下型のスピーカー装置等の他の種類の各種のスピーカー装置に広く適用することができる。
【００２９】
尚、以下に示す上下前後左右の方向は、説明の便宜上示すものであり、本技術はこれらの方向に限定して適用されることはない。
【００３０】
＜スピーカー装置の構成＞
スピーカー装置１は床面等の設置面に設置されるスタンド脚２、２、２とスタンド脚２、２、２によって保持された本体３とから成り、本体３がスタンド脚２、２、２の上端部に取り付けられている（図１参照）。
【００３１】
スタンド脚２は略上下方向に延びる棒状に形成され、周方向において等間隔に離隔して位置されている。
【００３２】
本体３はベース体４とベース体４上に取り付けられた機構ユニット５とを有している（図２及び図３参照）。
【００３３】
ベース体４は上下方向を向く板状の基部４ａと基部４ａの外周部から略下方に突出された被取付突部４ｂ、４ｂ、４ｂとを有している。被取付突部４ｂ、４ｂ、４ｂはそれぞれスタンド脚２、２、２の上端部に取り付けられている。基部４ａは略円環状に形成され、中央部の開口が音響出力孔４ｃとして形成されている。
【００３４】
機構ユニット５は筐体６と筐体６の内部に配置された所要の各部とを有している（図２乃至図４参照）。筐体６は少なくとも一部が透明又は半透明の材料によって形成され、上下に貫通された略円筒状の環状ベース７と環状ベース７の下端部に取り付けられたボトムベース８と環状ベース７の上端部に取り付けられたアッパーベース９とアッパーベース９の内側に配置されたカバーベース１０とを有している。
【００３５】
環状ベース７には周方向において等間隔に離隔してパイプ挿通孔７ａ、７ａ、７ａが形成されている。環状ベース７の上下方向における中央部には内方に張り出されたフランジ状の取付突部７ｂが設けられている。
【００３６】
ボトムベース８は円環状に形成され、外周部が環状ベース７の下端部に取り付けられている。アッパーベース９は円環状に形成され、外周部が環状ベース７の上端部に取り付けられている。カバーベース１０は外形状が円形状に形成され外周部がアッパーベース９の内周部に取り付けられ、中央部に下方に突出された円筒状の突状部１０ａを有している。
【００３７】
カバーベース１０の突状部１０ａにはダクト１１が取り付けられている。ダクト１１は後述するスピーカーユニットから出力される低域の音響（音声）の上方側の出力口とされスピーカーユニットの低域を補完する機能を有している。
【００３８】
筐体６の内部にはアームホルダー１２が配置されている。アームホルダー１２は軸方向が上下方向にされた円筒状の周面部１３と周面部１３の下端部に連続され円環状に形成された下面部１４と周面部１３の下端寄りの位置から外方に張り出された配置用突部１５と下面部１４からそれぞれ上方に突出された取付台部１６、１６、１６とを有している。
【００３９】
アームホルダー１２は、周面部１３の上端部がカバーベース１０の外周部に取り付けられ、周面部１３の下端部がボトムベース８の内周部に取り付けられ、下面部１４がベース体４の基部４ａにネジ止め等によって取り付けられている。
【００４０】
周面部１３にはアーム挿通孔１３ａ、１３ａ、１３ａが周方向において等間隔に離隔して形成されている。
【００４１】
取付台部１６、１６、１６は周方向において等間隔に離隔して設けられ、外側の端部が周面部１３の内面に連続されている。取付台部１６は上面がアーム挿通孔１３ａの下縁より稍上側に位置されている。
【００４２】
配置用突部１５には外斜め下方を向く傾斜面１５ａと上方を向く取付面１５ｂとが形成されている。配置用突部１５の傾斜面１５ａには円環状の発光素子１７、１７が取り付けられている。配置用突部１５の取付面１５ｂには円環状の第１の基板１８の内周部が上方から取り付けられている。
【００４３】
第１の基板１８は外周部が環状ベース７の取付突部７ｂに下方から取り付けられている。第１の基板１８の外周部における下面には円環状の発光素子１９、１９、１９が搭載されている。
【００４４】
周面部１３の外面における上端寄りの位置には円環状の第２の基板２０の内周部が取り付けられている。第２の基板２０の外周部における上面には円環状の発光素子２１、２１、２１が搭載されている。
【００４５】
発光素子１７、１７と発光素子１９、１９、１９と発光素子２１、２１、２１としては、例えば、発光ダイオード（ＬＥＤ）が用いられ、発光素子１７、１７と発光素子１９、１９、１９と発光素子２１、２１、２１は照明として機能する。発光素子１７、１７からは斜め下方へ向けて光が出射され発光素子１９、１９、１９からは下方へ向けて光が出射され発光素子２１、２１、２１からは上方へ向けて光が出射される。出射された光は少なくとも一部が透明又は半透明の材料によって形成された筐体６を透過される。
【００４６】
下面部１４の中央部にはスピーカーユニット２２が取り付けられている。スピーカーユニット２２は、例えば、ウーファーとして設けられ、低域の音響を出力する機能を有している。スピーカーユニット２２は下面部１４の開口を閉塞する状態で配置され、下端部における外周部が下面部１４の内周部に取り付けられている。
【００４７】
アームホルダー１２の取付台部１６、１６、１６の上面にはそれぞれ支持アーム２３、２３、２３が取り付けられている。
【００４８】
支持アーム２３はアームホルダー１２の半径方向に延びる形状に形成され（図４及び図５参照）、環状ベース７のパイプ挿通孔７ａと周面部１３のアーム挿通孔１３ａに挿通されている（図２及び図３参照）。支持アーム２３は、長手方向における一端部である基端部２３ａが周面部１３の内側に位置されて取付台部１６にネジ止め等によって取り付けられ、長手方向における他端部である先端部２３ｂが環状ベース７の外側に位置されている。
【００４９】
支持アーム２３には先端部２３ｂに上下に貫通され外方に開口された素子配置溝２４が形成されている（図６参照）。支持アーム２３の先端寄りの位置には上下に突出された突部２５、２５が設けられ、突部２５、２５は素子配置溝２４より基端部２３ａ側に位置されている。
【００５０】
支持アーム２３には突部２５、２５より基端部２３ａ側の部分に付勢バネ２６、２６が取り付けられている。付勢バネ２６は、例えば、板バネであり、上下方向を向き支持アーム２３と同じ方向に延びる形状に形成されている（図５及び図６参照）。付勢バネ２６は長手方向における一方の略半部が被取付面部２６ａとして設けられ長手方向における他方の略半部が二股状に形成された弾性変形部２６ｂ、２６ｂとして設けられている。
【００５１】
付勢バネ２６、２６は被取付面部２６ａ、２６ａがそれぞれ支持アーム２３の上下両面にネジ止め等によって取り付けられている。付勢バネ２６が支持アーム２３に取り付けられた状態においては、弾性変形部２６ｂ、２６ｂの間に支持アーム２３の突部２５が挿入された状態で位置される。
【００５２】
付勢バネ２６の先端部は支持アーム２３から外側に突出されている。
【００５３】
支持アーム２３、２３、２３の一部と付勢バネ２６、２６、・・・の先端部を除く部分とはそれぞれカバーパイプ２７、２７、２７によって周囲から覆われる。カバーパイプ２７は軸方向がアームホルダー１２の半径方向に一致され、円筒状に形成されている。カバーパイプ２７は一部が環状ベース７のパイプ挿通孔７ａに嵌合された状態で挿通され、環状ベース７に取り付けられる。
【００５４】
支持アーム２３、２３、２３の素子配置溝２４、２４、２４にはそれぞれ保護筒２８、２８、２８が挿入されて配置される（図６参照）。保護筒２８は軸方向が上下方向にされ樹脂材料によって筒状に形成され、素子配置溝２４に嵌合された状態で配置される。
【００５５】
支持アーム２３、２３、２３の素子配置溝２４、２４、２４にはそれぞれ保護筒２８、２８、２８の内側に振動素子２９、２９、２９が挿入されて配置される。振動素子２９は、例えば、積層型の圧電素子であり、上下に延びる形状に形成され、電圧（駆動信号）が印加されたときの伸縮方向が上下方向にされている。
【００５６】
支持アーム２３、２３、２３の先端面にはそれぞれ蓋部材３０、３０、３０が取り付けられている。蓋部材３０によって素子配置溝２４に配置された保護筒２８と振動素子２９が覆われる。
【００５７】
振動素子２９は保護筒２８の内面と僅かな隙間を有した状態で配置される。従って、振動素子２９が伸縮され径方向における膨張収縮が繰り返し生じるときに、振動素子２９が素子配置溝２４の周面に接触されず振動素子２９が保護される。また、保護筒２８によって振動素子２９の支持アーム２３に対する倒れが防止される。
【００５８】
尚、振動素子２９は圧電素子に限られることはなく、伸縮される素子であればよく、例えば、磁歪素子等の他の素子であってもよい。
【００５９】
また、振動素子２９が配置される素子配置溝２４を有する支持アーム２３には、内部に空間が形成され、この空間が振動素子２９に対して駆動信号を出力するための図示しない配線が配置される空間として形成されていてもよい。
【００６０】
このように支持アーム２３の内部に、振動素子２９に接続される配線が配置されることにより、付勢バネ２６の配置部として機能する支持アーム２３に配線の配置部が形成されるため、付勢バネ２６の配置部と配線の配置部とが同一の部材によって形成され、スピーカー装置１における部品点数の削減及びスピーカー装置１の構造の簡素化による小型化を図ることができる。
【００６１】
カバーパイプ２７、２７、２７から外方に突出された付勢バネ２６、２６、２６の先端部は振動体３１、３１に取り付けられている。振動体３１、３１は音響振動板として機能し、環状ベース７より外径が大きい円筒状に形成され、例えば、アクリル樹脂によって形成されている。振動体３１、３１は上下に離隔した状態で環状ベース７の外周側に位置されている。
【００６２】
上側の振動体３１の下側の端面３１ａには支持アーム２３、２３、２３の上面にそれぞれ取り付けられた付勢バネ２６、２６、２６の先端部がネジ止め等によって下方から取り付けられる。従って、上側の振動体３１は付勢バネ２６、２６、２６によって下方に付勢される。
【００６３】
下側の振動体３１の上側の端面３１ａには支持アーム２３、２３、２３の下面にそれぞれ取り付けられた付勢バネ２６、２６、２６の先端部がネジ止め等によって上方から取り付けられる。従って、下側の振動体３１は付勢バネ２６、２６、２６によって上方に付勢される。
【００６４】
振動体３１、３１はそれぞれ下側の端面３１ａと上側の端面３１ａとが振動素子２９、２９、２９の真上に位置されている。従って、付勢バネ２６、２６、２６によって下方に付勢された上側の振動体３１は端面３１ａが振動素子２９、２９、２９の上端面に上方から押し付けられ、付勢バネ２６、２６、２６によって上方に付勢された下側の振動体３１は端面３１ａが振動素子２９、２９、２９の下端面に下方から押し付けられている。
【００６５】
このとき振動素子２９は付勢バネ２６の弾性変形部２６ｂ、２６ｂ間に挿通された状態で位置されており、弾性変形部２６ｂ、２６ｂは振動素子２９の両側において振動体３１を付勢した状態とされている。
【００６６】
蓋部材３０、３０、３０の外面にはそれぞれ蓋部材３０、３０、３０より外形が大きい図示しない外側カバーが取り付けられていてもよい。
【００６７】
＜スピーカー装置の動作＞
上記のように構成されたスピーカー装置１において、図示しない駆動回路から振動素子２９、２９、２９に駆動信号が入力されると、入力された駆動信号に応じて振動素子２９、２９、２９が上下方向に伸縮され、振動素子２９、２９、２９に押し付けられている振動体３１、３１が振動される。振動体３１、３１が振動されると、中高域の音響が出力される。従って、振動体３１、３１はツイーターを構成する音響振動板として機能する。
【００６８】
スピーカー装置１にあっては、振動体３１、３１が筒状に形成され、振動素子２９、２９、２９が振動体３１、３１の周方向に離隔して複数配置されているため、上記した振動体３１、３１の振動が周方向に離隔して配置された複数の振動素子２９、２９、２９によって安定した状態で行われ、音質の向上を図ることができる。
【００６９】
また、付勢バネ２６に二股状に形成された一対の弾性変形部２６ｂ、２６ｂが設けられ、弾性変形部２６ｂ、２６ｂの間に振動素子２９が位置されているため、振動素子２９の両側に弾性変形部２６ｂ、２６ｂが位置されている。
【００７０】
従って、弾性変形部２６ｂ、２６ｂから均等な付勢力が振動体３１の端面３１ａに付与され、振動体３１が安定した状態で振動素子２９に押し付けられ、振動体３１の安定した振動状態を確保することができる。
【００７１】
さらに、付勢バネ２６、２６、・・・が周方向に離隔して複数配置されているため、周方向において付勢バネ２６、２６、・・・から均等な力が振動体３１、３１の端面３１ａ、３１ａに付与され、振動体３１、３１が一層安定した状態で振動素子２９、２９、２９に押し付けられ、振動体３１、３１の一層安定した振動状態を確保することができる。
【００７２】
一方、振動体３１、３１の内側に配置されたウーファーとして機能するスピーカーユニット２２からは、上記したように、低域の音響が出力される。スピーカーユニット２２からはベース体４の基部４ａに形成された音響出力孔４ｃとダクト１１を通って音響が出力される。
【００７３】
このようにスピーカー装置１にあっては、振動体３１、３１の内側に、振動体３１、３１の振動に基づいて出力される音響と異なる音響を出力するスピーカーユニット２２が配置されている。
【００７４】
従って、複数の異なる音響が出力されるためスピーカー装置１の機能性の向上を図ることができると共に振動体３１、３１の内側にスピーカーユニット２２の配置スペースが存在するためスピーカー装置１の小型化を図ることができる。
【００７５】
＜まとめ＞
上記したように、スピーカー装置１にあっては、駆動信号に応じて伸縮する振動素子２９、２９、２９と、振動素子２９、２９、２９を挟んで反対側に位置され端面３１ａ、３１ａが振動素子２９、２９、２９の伸縮方向における両端に接した状態で配置された振動体３１、３１と、振動体３１、３１を付勢して端面３１ａ、３１ａを振動素子２９、２９、２９の両端にそれぞれ押し付ける付勢バネ２６、２６、・・・とが設けられている。
【００７６】
従って、付勢バネ２６、２６、・・・によって付勢された振動体３１、３１の端面３１ａ、３１ａが振動素子２９、２９、２９の伸縮方向における両端に接した状態で振動素子２９、２９、２９が伸縮されて振動体３１、３１が振動される。
【００７７】
このように振動素子２９、２９、２９がサウンドアースと称されるベース部分に取り付けられた構造にされていないため、振動素子２９、２９、２９に対するサウンドアースが存在しない構造にされており、振動素子２９、２９、２９の駆動力の一部がサウンドアースに伝達されて駆動力が低下すると言う不具合を生じることがなく、音響変換効率が高まり音質の向上を図ることができる。
【００７８】
また、音響振動板として機能する振動体３１、３１から同時に音響の出力が行われるため、高い音響変換効率を確保した上で音圧の向上や再生帯域の広域化や音響の出力方向の多方向化を図ることができる。
【００７９】
さらに、一般に、重量の大きいサウンドアースが存在しないため、スピーカー装置１の重量が小さくなり、スピーカー装置１の軽量化を図ることができる。
【００８０】
尚、振動体３１、３１の大きさや材質は振動素子２９、２９、２９の伸縮によって振動を発生する構成であれば任意に構成することが可能であり、振動体３１、３１の大きさや材質を変更することにより、周波数の調整や音響の出力方向の調整を必要に応じて行うことが可能であり、スピーカー装置１の設計の自由度の向上を図ることができる。
【００８１】
また、付勢バネ２６の振動体３１、３１に対する付勢力を調整することによっても、出力される音響に関する周波数の調整や音圧の調整を行うことが可能であり、付勢バネ２６の振動体３１、３１に対する付勢力を調整することによっても、スピーカー装置１の設計の自由度の向上を図ることができる。
【００８２】
さらに、付勢バネ２６として板バネが用いられ、付勢バネ２６の厚み方向が振動素子２９の伸縮方向に一致されているため、振動素子２９の伸縮方向における付勢バネ２６の配置スペースが小さくなり、スピーカー装置１の小型化を図ることができる。
【００８３】
さらにまた、スピーカー装置１にあっては、振動体３１、３１の内側に照明として機能する発光素子１７、１７、１９、１９、１９、２１、２１、２１が配置されているため、スピーカー装置１が音響の出力機能の他に照明機能をも有しており、スピーカー装置１の機能性の向上を図ることができる。
【００８４】
＜その他＞
上記には、六つの付勢バネ２６と三つの振動素子２９が設けられた例を示したが、付勢バネ２６と振動素子２９の数はそれぞれ六つと三つに限られることはなく、任意の数にすることが可能である。
【００８５】
また、上記には、付勢バネ２６と振動素子２９が周方向において等間隔に離隔して配置された例を示したが、付勢バネ２６と振動素子２９の配置位置は任意である。
【００８６】
尚、スピーカー装置１が吊下型である場合には、スタンド脚２、２、２が不要であり、例えば、機構ユニット５にケーブルが接続され、ケーブルによって天井等から吊り下げられていればよい。
【００８７】
また、振動体３１の上端部又は下端部にフランジ部が設けられ、このフランジ部が付勢バネ２６の弾性変形部２６ｂ、２６ｂに結合されたり、このフランジ部が振動素子２９に接して振動素子２９の伸縮による振動の発生が行われるようにしてもよい。
【００８８】
＜本技術＞
本技術は、以下のような構成にすることができる。
【００８９】
（１）
駆動信号に応じて伸縮する振動素子と、
前記振動素子を挟んで反対側に位置され各端面がそれぞれ前記振動素子の伸縮方向における両端に接した状態で配置されると共に前記振動素子の伸縮によって振動される二つの振動体と、
前記二つの振動体を付勢して前記各端面を前記両端にそれぞれ押し付ける付勢バネとを備えた
スピーカー装置。
【００９０】
（２）
前記振動体が筒状に形成され、前記振動素子が前記振動体の周方向に離隔して複数配置された
前記（１）に記載のスピーカー装置。
【００９１】
（３）
前記付勢バネの一部が二股状に形成され前記振動体に付勢力を付与する一対の弾性変形部として設けられ、
前記一対の弾性変形部の間に前記振動素子が配置された
前記（１）又は前記（２）の何れかに記載のスピーカー装置。
【００９２】
（４）
前記付勢バネとして板バネが用いられ、
前記付勢バネの厚み方向が前記伸縮方向に一致された
前記（１）から前記（３）の何れかに記載のスピーカー装置。
【００９３】
（５）
前記付勢バネが前記振動体の周方向に離隔して複数配置された
前記（１）から前記（４）の何れかに記載のスピーカー装置。
【００９４】
（６）
前記振動体の内側に、前記振動体の振動に基づいて出力される音響と異なる音響を出力するスピーカーユニットが配置された
前記（２）から前記（５）の何れかに記載のスピーカー装置。
【００９５】
（７）
前記振動体の内側に照明が配置された
前記（２）から前記（６）の何れかに記載のスピーカー装置。
【００９６】
（８）
前記振動体の半径方向に延び前記付勢バネが取り付けられる支持アームが設けられ、
前記支持アームの内部に、前記振動素子に接続される配線が配置された
前記（２）から前記（７）の何れかに記載のスピーカー装置。
【符号の説明】
【００９７】
１…スピーカー装置、１７…発光素子（照明）、１９…発光素子（照明）、２１…発光素子（照明）、２２…スピーカーユニット、２３…支持アーム、２６…付勢バネ、２６ｂ…弾性変形部、２９…振動素子、３１…振動体、３１ａ…端面
【図１】
2016103930.tif 000003
【図２】
2016103930.tif 000004
【図３】
2016103930.tif 000005
【図４】
2016103930.tif 000006
【図５】
2016103930.tif 000007
【図６】
2016103930.tif 000008
【国際調査報告】
2016103930.tif 000009
2016103930.tif 000010
2016103930.tif 000011